(57)【要約】【課題】本発明は、少ない部品構成で配光制御が可能であると共に、廉価で薄型化を実現した照明装置を提供することにある。【解決手段】蛍光灯等の線状光源１の周囲の一部を囲むように、断面が楕円の一部を連設した形状で内周面４に反射処理を施したリフレクタ２を配設し、その上方に線状光源１およびリフレクタ２を覆うように凸状シリンドリカルレンズ５群を並設したレンズアレイ３を配設して照明装置を構成した。その結果、照射光の配光制御がリフレクタ２とレンズアレイ３とによって行なわれるために、少ない部品構成で配光制御が可能であると共に、廉価で薄型化を図った照明装置を実現することができた。【選択図】図１
2007257857.tif 000002
【特許請求の範囲】
【請求項１】
線状光源の周囲の一部を囲むようにリフレクタが配設され、前記線状光源および前記リフレクタの上方に該線状光源およびリフレクタを覆うようにレンズアレイが配設された照明装置であって、前記レンズアレイは前記線状光源に対向する面の反対面側に断面が凸状および凹状のいずれか一方で前記線状光源の長手方向と略直角方向に延びる柱状の単位レンズが複数本互いに平行に連設されてなる単位レンズ群であることを特徴とする照明光源。
【請求項２】
前記リフレクタは前記線状光源の長手方向に垂直な断面形状が、複数の楕円および複数の双曲線のいずれか一方を連設した曲線群からなることを特徴とする請求項１に記載の照明光源。
【請求項３】
前記各楕円および双曲線の第１焦点は略前記線状光源の位置にあり、前記各楕円および双曲線の第２焦点は前記楕円および双曲線の夫々の端と前記第２焦点を結ぶ直線がなす角が前記線状光源に近いほど小さくなるような位置にあることを特徴とする請求項２に記載の照明光源。
【請求項４】
前記リフレクタは前記線状光源の長手方向に垂直な断面形状が、楕円と双曲線が交互に連設された曲線群からなることを特徴とする請求項１に記載の照明光源。
【請求項５】
前記レンズアレイの前記線状光源に対向する面側に断面が凸状および凹状のいずれか一方で前記線状光源の長手方向と略平行方向に延びる柱状の単位レンズが複数本互いに平行に連設されてなることを特徴とする請求項１に記載の照明装置。
【請求項６】
前記リフレクタは前記線状光源の長手方向に垂直な断面形状が、焦点を略前記線状光源の位置とする放物線であることを特徴とする請求項５に記載の照明光源。
【発明の詳細な説明】
【技術分野】
【０００１】
本発明は、照明装置に関するものであり、詳しくは、一般照明用あるいは内照式表示板用等の照明装置に関する。
【背景技術】
【０００２】
従来、蛍光灯等の線状光源を光源とする一般照明用あるいは内照式表示板用等の照明装置には、図１１に示すようなものが提案されている。それは、蛍光灯等の線状光源１００を囲むようにリフレクタ１０１が配設されており、リフレクタ１０１の上方には光源の長手方向に所定の間隔で設けられたブレード１０２と光源１００の長手方向に垂直な方向に所定の間隔で設けられた断面逆Ｖ字形状のブレード１０３が格子状に組み合わされて一体化されたルーバー１０４が配設されている。
【０００３】
リフレクタ１０１の光源１００に対向する内周面１０５はアルミ蒸着や白色塗装等の加工が施されて光反射面を形成しており、同様にルーバー１０４を構成する各ブレード１０２、１０３の光源１００に対向する面も光反射面を形成している。
【０００４】
上記構成の照明装置１０６において、光源１００からの直接光およびリフレクタ１０１による反射光は上方に配設されたル−バー１０４によって所望の配光制御がされて照明装置１０６から外部に照射される。特に、ルーバー１０４を構成するブレード１０２、１０３のうち、光源１００の長手方向に垂直な方向に設けられた断面逆Ｖ字形状のブレード１０３は光源１００からの光の該光源の長手方向への広がりを阻止して制限する働きを有するものであり、その結果、照明装置１０６による照明下においてテレビ画面やコンピュータ等のモニター画面への照射光の映り込みが防止されることになる（例えば、特許文献１参照。）。
【特許文献１】特開平５−２２５８０８号公報
【発明の開示】
【発明が解決しようとする課題】
【０００５】
上述の従来の照明装置１０６は、配光に寄与するルーバー１０４の構造が複雑であるために製造コストが高くなる。また、ルーバー１０４に有効な配光制御の機能を持たせるためには一定の厚みが必要であり、そのためルーバー１０４を配設した分、照明装置１０６の厚みが厚くなって装置の設置場所の自由度が制限されることになる。更に、断面逆Ｖ字形状のブレード１０３のＶ字形状内側に入った光源１００からの光はブレード１０３によって遮光されて照射に寄与しないものとなり、光の利用効率が低下することになる。
【０００６】
そこで、本発明は上記問題に鑑みて創案なされたもので、その目的とするところは、少ない部品構成で配光制御が可能であると共に、廉価で薄型化を実現した照明装置を提供することにある。
【課題を解決するための手段】
【０００７】
上記課題を解決するために、本発明の請求項１に記載された発明は、線状光源の周囲の一部を囲むようにリフレクタが配設され、前記線状光源および前記リフレクタの上方に該線状光源およびリフレクタを覆うようにレンズアレイが配設された照明装置であって、前記レンズアレイは前記線状光源に対向する面の反対面側に断面が凸状および凹状のいずれか一方で前記線状光源の長手方向と略直角方向に延びる柱状の単位レンズが複数本互いに平行に連設されてなる単位レンズ群であることを特徴とするものである。
【０００８】
また、本発明の請求項２に記載された発明は、請求項１において、前記リフレクタは前記線状光源の長手方向に垂直な断面形状が、複数の楕円および複数の双曲線のいずれか一方を連設した曲線群からなることを特徴とするものである。
【０００９】
また、本発明の請求項３に記載された発明は、請求項２において、前記各楕円および双曲線の第１焦点は略前記線状光源の位置にあり、前記各楕円および双曲線の第２焦点は前記楕円および双曲線の夫々の端と前記第２焦点を結ぶ直線がなす角が前記線状光源に近いほど小さくなるような位置にあることを特徴とするものである。
【００１０】
また、本発明の請求項４に記載された発明は、請求項１において、前記リフレクタは前記線状光源の長手方向に垂直な断面形状が、楕円と双曲線が交互に連設された曲線群からなることを特徴とするものである。
【００１１】
また、本発明の請求項５に記載された発明は、請求項１において、前記レンズアレイの前記線状光源に対向する面側に断面が凸状および凹状のいずれか一方で前記線状光源の長手方向と略平行方向に延びる柱状の単位レンズが複数本互いに平行に連設されてなることを特徴とするものである。
【００１２】
また、本発明の請求項６に記載された発明は、請求項５において、前記リフレクタは前記線状光源の長手方向に垂直な断面形状が、焦点を略前記線状光源の位置とする放物線であることを特徴とするものである。
【発明の効果】
【００１３】
本発明の照明装置は、蛍光灯等の線状光源の周囲の一部を囲むように、内周面に反射処理を施したリフレクタを配設し、その上方に線状光源およびリフレクタを覆うように複数のレンズ群を並設したレンズアレイ配設して照明装置を構成した。
【００１４】
その結果、照射光の配光制御がリフレクタとレンズアレイとによって行なわれるために、少ない部品構成で配光制御が可能であると共に、廉価で薄型化を図った照明装置を実現することができた。
【発明を実施するための最良の形態】
【００１５】
本発明は、照明装置の薄型化および低価格化を実現するという目的を、光源から出射された光をリフレクタとレンズアレイとによって配光制御するようにしたことで実現した。
【００１６】
以下、この発明の好適な実施例を図１から図１０を参照しながら、詳細に説明する（同一部分については同じ符号を付す）。尚、以下に述べる実施例は、本発明の好適な具体例であるから、技術的に好ましい種々の限定が付されているが、本発明の範囲は、以下の説明において特に本発明を限定する旨の記載がない限り、これらの実施例に限られるものではない。
【実施例１】
【００１７】
図１は本発明の照明装置に係わる実施例１の斜視図である。本実施例は熱陰極蛍光ランプ、冷陰極蛍光ランプ等の線状光源１、リフレクタ２およびレンズアレイ３で主要部が構成されている。
【００１８】
そして、線状光源１の一部を囲むようにリフレクタ２が配設されており、リフレクタ２の線状光源１に対向する内周面４にはＡｌまたはＡｇを蒸着法、メッキ法または転写法によって形成した金属反射膜あるいは白色塗料を塗布した反射膜が形成されている。
【００１９】
更に、線状光源１およびリフレクタ２の上方には、該線状光源１およびリフレクタ２を覆うようにレンズアレイ３が配設されている。レンズアレイ３は線状光源１に対向する面の反対面側に凸状シリンドリカルレンズ５群が並設されており、シリンドリカルレンズ５の長手方向が線状光源１の長手方向に略直角となるように方向決めされている。
【００２０】
次に、上記本実施例の構成の照明装置の光学系について図２〜図４を参照しながら詳細に説明する。図２は本実施例を線状光源の長手方向に垂直な面で切断したときの部分断面図、図３は本実施例を線状光源の長手方向に平行な面で切断したときの部分断面図、図４は線状光源とレンズアレイとの関係を示す模式図である。
【００２１】
まず、図２より、線状光源１とリフレクタ２の関係は、線状光源１の中心６を共通の第１焦点とする複数の第２焦点７ａ、７ｂ、７ｃ、７ｄを前記第１焦点の周囲の所定の位置に想定し、共通の第１焦点と各第２焦点とを有する夫々の楕円８ａ、８ｂ、８ｃ、８ｄの一部を連設することによってリフレクタ２が形成されている。
【００２２】
すると、楕円の第１焦点である線状光源１の中心６から該線状光源１の長手方向に垂直な方向に放射された光のうち、断面形状楕円８ａ、８ｂ、８ｃ、８ｄの反射面で反射された光は一旦夫々第２焦点７ａ、７ｂ、７ｃ、７ｄに集った後に再度広がりをもって上方に向かう。
【００２３】
このとき、各第２焦点７ａ、７ｂ、７ｃ、７ｄの位置、ならびに夫々を第２焦点７ａ、７ｂ、７ｃ、７ｄとする楕円８ａ、８ｂ、８ｃ、８ｄの位置および幅を設定することによって、夫々の楕円８ａ、８ｂ、８ｃ、８ｄの両端と該楕円の第２焦点７ａ、７ｂ、７ｃ、７ｄを結ぶ直線（９ａ、９ｂ）、（１０ａ、１０ｂ）、（１１ａ、１１ｂ）、（１２ａ、１２ｂ）がなす角９ｃ、１０ｃ、１１ｃ、１２ｃを所望の角度に制御することができる。
【００２４】
つまり、線状光源１から放射されて夫々の断面形状楕円８ａ、８ｂ、８ｃ、８ｄの反射面で反射されて各第２焦点７ａ、７ｂ、７ｃ、７ｄに一旦集った光の広がり角を制御することが可能であることを示している。ところで、線状光源１は所定の大きさを有しているために現実の反射光の広がり角度は光源に近いほど大きくなる。従って、直線（９ａ、９ｂ）、（１０ａ、１０ｂ）、（１１ａ、１１ｂ）、（１２ａ、１２ｂ）がなす角９ｃ、１０ｃ、１１ｃ、１２ｃを光源に近い方ほど小さく設定することによって、線状光源１の長手方向に垂直な方向に放射されてリフレクタ２で反射された反射光の広がりを制限することができる。
【００２５】
以上は、線状光源１の長手方向に垂直な方向に放射された光に係わる光学系について説明したが、次に線状光源１の長手方向に平行な方向に放射された光に係わる光学系について詳細に説明する。
【００２６】
図３より、レンズアレイの断面形状は外部に対する光出射面側が連続する凸形状の円弧からなるレンズ面１３であり、光源側は平面からなる光入射面１４となっている。なお、光源は記載していない。
【００２７】
そこで、線状光源１から放射されて空気中を経てレンズアレイ３の光入射面に至った到達光１５のうち光入射面１４に平行に進む光以外の光は、空気の屈折率に対してレンズアレイ３の屈折率が大きいために、入射点における法線との交角（屈折角）が臨界角よりも小さい角度に屈折されてレンズアレイ３内に入射光１６として導入される。
【００２８】
この場合、光源が線状光源１であるために光源１から該光源１の長手方向に平行な方向に放射されてレンズアレイ３の光入射面１４に至った到達光１５は、直接光も反射光も完全拡散光に近い指向特性を有しているが、レンズアレイ３の光入射面１４からレンズアレイ３内に入射するときに上述のように臨界角よりも小さい角度に屈折されるために、指向性が狭められた入射光１６としレンズアレイ３内に導入される。
【００２９】
レンズアレイ３内に導入された入射光１６はレンズアレイ３内を導光されて光出射面となるレンズ面１３に至り、レンズ面１３から出射光１７として外部に出射される。この場合もレンズアレイ３から外部（空気中）に出射する出射光１７は空気とレンズアレイ３との屈折率差、およびレンズ面１３の出射点における法線とレンズアレイ３内を導光されて出射点に至った光とがなす角によって屈折される。
【００３０】
ところで、レンズ面１３は円弧形状をなしているために出射点の場所によって法線の方向が異なるが、レンズ面１３の任意の出射点に一方向からの光線が当たる確率はその光線がレンズ面１３に当たる方向に垂直な面への投影面積に比例する。そのため、任意の出射点における接平面に垂直に当たる光線１８の確率が最も高く、この光線は任意の出射点における法線と同一線上にあるために屈折することなく直進してレンズ面１３から外部に出射される。
【００３１】
その結果、臨界角よりも小さい角度に絞られてレンズアレイ３内に導入された入射光１６はレンズアレイ３内を導光されレンズアレイ３のレンズ面１３に至り、広がりの少ない出射光１７として外部に出射される。
【００３２】
なお、光線１９のようにレンズ面１３で全反射されてレンズアレイ３側に戻るものもあるが、リフレクタ２で反射されて再度レンズ面１３に向かうために光の利用効率の低下への影響は少ない。
【００３３】
ところで、レンズアレイ３のレンズ面１３は凸形状の円弧からなっているが、凹形状であっても同様の光学的効果を奏するものである。また、円弧の替わりに楕円、放物線、双曲線にすることによって出射光１７の配光分布の制御が可能となる。
【００３４】
次に、線状光源１の長手方向に垂直な方向に放射された光に係わる光学系について、線状光源とレンズアレイとの関係を図４を参照しながら詳細に説明する。
【００３５】
線状光源１から放射される光線は、線状光源１の長手方向に垂直な方向に放射状に広がるように分布している。そのうち、レンズアレイ３を構成するシリンドリカルレンズ５の稜線２０の下方の光入射面２１に至った到達光線２２は、シリンドリカルレンズ５の稜線２０における法線Ｎ１と光入射面２１における法線Ｎ２とが同一方向を向いているために、到達光線２２と法線Ｎ１および法線Ｎ２とを含む同一平面内を進行してシリンドリカルレンズ５の稜線２０から到達光線２２と平行な光線となって外部に出射される。
【００３６】
一方、シリンドリカルレンズ５の稜線２０の下方よりずれた位置の光入射面２３に至った到達光線２４がシリンドリカルレンズ５内に導入されてシリンドリカルレンズ５のレンズ面１３に至った光線は、レンズ面到達点２５における法線Ｎ３と光入射面２３における法線Ｎ４とが異なる方向を向いているために、レンズ面１３のレンズ面到達点２５における法線Ｎ３とレンズ面１３のレンズ面到達点２５に至る光線とを含む同一平面内を進行してレンズ面１３のレンズ面到達点２５から到達光線２４と異なる方向に進行する。
【００３７】
このとき、レンズ面１３のレンズ面到達点２５における法線Ｎ３は光入射面２３における法線Ｎ４に対して傾いているためにレンズ面到達点２５における法線Ｎ３とレンズ面到達点２５に至る光線とがなす角が臨界角よりも大きくなり、全反射されてシリンドリカルレンズ５内に戻ることになる。そのため、線状光源１の長手方向に垂直な方向に広がった光が出射されるのが抑制されることになる。
【００３８】
なお、シリンドリカルレンズ５のレンズ面１３で全反射されてシリンドリカルレンズ５内に戻る光は下方のリフレクタまで戻った後にリフレクタで反射されて再度レンズ面１３に向かうために光の利用効率の低下への影響は少ない。
【００３９】
図５および図６は上記構成の照明装置による照射光の輝度分布をシミュレーションした結果を示したものであり、図５は線状光源の長手方向に垂直な方向の輝度分布、図６は線状光源の長手方向に平行な方向の輝度分布である。なお、リフレクタによる反射光の線状光源の長手方向に垂直な方向の広がり角を１２０°（片側６０°）とし、シリンドリカルレンズの円弧状レンズ面の外接線の交角（頂角）を９０°と設定した。両図とも、横軸は観視する方向（照明装置の正面を０°としたときの観視位置の角度）、縦軸は最大輝度を１としたときに相対輝度を表している。
【００４０】
図５より線状光源の長手方向に垂直な方向の輝度分布の指向半値角（最大輝度の５０％の輝度が得られる角度）は約６０°（片側約３０°）であり、図６より線状光源の長手方向に平行な方向の指向半値角は約１００°（片側約５０°）である。
【００４１】
このシミュレーション結果より、本実施例の照明装置は線状光源の長手方向に平行な方向および線状光源の長手方向に垂直な方向において照射光が確実に絞り込まれることが検証できた。それと同時に、光源から放射された光のうち照明装置の照射光となる比率（照射効率）も約８０％と高効率の結果が得られ、光の利用効率の高い照明装置が実現することも検証できた。
【００４２】
従って、本実施例の照明装置は明るく、且つ照明下においてテレビ画面やコンピュータ等のモニター画面への照射光の映り込みが少ないものとなる、という優れた効果を奏するものである。
【実施例２】
【００４３】
図７は本発明の照明装置に係わる実施例２の斜視図であり、主要部は上記実施例１と同様に線状光源１、リフレクタ２およびレンズアレイ３で構成されている。
【００４４】
本実施例は、線状光源１およびリフレクタ２の上方に該線状光源１およびリフレクタ２を覆うように配設されたレンズアレイ３の両面側に凸状シリンドリカルレンズ５ａ、５ｂ群が並設されている点、およびリフレクタ２の断面形状が放物線である点が異なる以外は実施例１と同様である。
【００４５】
なお、レンズアレイ３の両面側に設けられた凸状シリンドリカルレンズ５ａ、５ｂ群は、線状光源１に対向する面側は線状光源１の長手方向とシリンドリカルレンズ５ａの長手方向が同一方向であり、線状光源１に対向する面の反対面側は線状光源１の長手方向とシリンドリカルレンズ５ｂの長手方向が略直角となる方向である。
【００４６】
次に、上記本実施例の構成の照明装置の光学系について図８を参照しながら詳細に説明する。図８は本実施例を線状光源の長手方向に垂直な面で切断したときの部分断面図である。
【００４７】
図８より、線状光源１とリフレクタ２の関係は、線状光源１の中心６を焦点とする放物線でリフレクタが形成されている。
【００４８】
すると、放物線の焦点である線状光源１の中心６から該線状光源１の長手方向に垂直な方向に放射された光は断面形状放物線の反射面で反射されて略平行光となって上方に向かう。
【００４９】
レンズアレイ３に至った略平行光はシリンドリカルレンズ５ａのレンズ面１３ａで屈折されてレンズアレイ３内に導入され、反対側のシリンドリカルレンズ５ｂのレンズ面１３ｂで屈折されて、レンズ面１３ｂから出射光１７として外部に出射される。
【００５０】
上記実施例１においては、線状光源の直径が大きくなると、光源から放射されてリフレクタで反射された光のうち、光源で遮光されて照射光として寄与しなくなる分が多くなり、照射効率の低下を招くものであるが、本実施例ではこのような不具合を回避するための手法を施したものとなっている。
【００５１】
更に、本実施例では線状光源１の長手方向に垂直な方向に放射された光が略平行光となってレンズアレイ３に至るため、線状光源１の長手方向に垂直な方向の配光制御はほとんどレンズアレイ３によって行なわれることになる。従って、レンズアレイ３の光学設計が単純化されるために設計の自由度が高くなる、という利点もある。
【００５２】
なお、レンズアレイ３のレンズ面１３ａは凸形状の円弧からなっているが、凹形状であっても同様の光学的効果を奏するものである。
【実施例３】
【００５３】
実施例３は上記実施例１の構成において、リフレクタを図９に示すような形状にしたものである。ここで、図９は本実施例を線状光源の長手方向に垂直な面で切断したときの部分断面図である。
【００５４】
実施例１のリフレクタは該リフレクタを線状光源の長手方向に垂直な面で切断したときの断面が楕円の一部を連設した形状であり、リフレクタを構成する夫々の楕円の第１焦点は線状光源の中心、第２焦点はリフレクタの内側（線状光源に対向する面側）に存在した。そのため、楕円の第１焦点である線状光源の中心から該線状光源の長手方向に垂直な方向に放射された光は各リフレクタで反射されて夫々の第２焦点に光源の実像を結んだ。
【００５５】
それに対し、図９に示す実施例３のリフレクタ２は、該リフレクタ２を線状光源１の長手方向に垂直な面で切断したときの断面が双曲線の一部を連設した形状であり、線状光源１の中心６を共通の第１焦点とする複数の第２焦点２７ａ、２７ｂ、２７ｃ、２７ｄをリフレクタの外側（線状光源に対向する面の反対面側）の所定の位置に想定し、共通の第１焦点と各第２焦点とを有する夫々の双曲線２６ａ、２６ｂ、２６ｃ、２６ｄの一部を連設することによってリフレクタが形成されている。
【００５６】
すると、双曲線の第１焦点である線状光源１の中心６から該線状光源１の長手方向に垂直な方向に放射された光のうち、断面形状双曲線２６ａ、２６ｂ、２６ｃ、２６ｄの反射面で反射された光はあたかも光源の虚像を結ぶ夫々の第２焦点２７ａ、２７ｂ、２７ｃ、２７ｄから放射したように反射する。
【００５７】
この場合も、各第２焦点２７ａ、２７ｂ、２７ｃ、２７ｄの位置、ならびに夫々を第２焦点２７ａ、２７ｂ、２７ｃ、２７ｄとする双曲線２６ａ、２６ｂ、２６ｃ、２６ｄの位置および幅を設定することによって、夫々の双曲線２６ａ、２６ｂ、２６ｃ、２６ｄの両端と該双曲線の第２焦点２７ａ、２７ｂ、２７ｃ、２７ｄを結ぶ直線（９ａ、９ｂ）、（１０ａ、１０ｂ）、（１１ａ、１１ｂ）、（１２ａ、１２ｂ）がなす角９ｃ、１０ｃ、１１ｃ、１２ｃを所望の角度に制御することができる。
【００５８】
つまり、線状光源１から放射されて夫々の双曲線２６ａ、２６ｂ、２６ｃ、２６ｄで各第２焦点２７ａ、２７ｂ、２７ｃ、２７ｄから放射したように反射された光の広がり角を制御することが可能であることを示している。
【００５９】
本実施例では、リフレクタ２で反射された反射光が、あたかもリフレクタ２の外側にある第２焦点２７ａ、２７ｂ、２７ｃ、２７ｄの虚像から放射されたような光学系を形成する。そのため、夫々の断面形状双曲線の反射面で反射された光はリフレクタタ２に近い位置で混合されることになり、上方に配設された（図示せず）レンズアレイの光出射面の輝度分布の均一性が高まって照明装置自体を観視したときの見映えが良好となる、という効果がある。
【実施例４】
【００６０】
実施例４は上記実施例１の構成において、リフレクタを図１０に示すような形状にしたものである。ここで、図１０は本実施例を線状光源の長手方向に垂直な面で切断したときの部分断面図である。
【００６１】
図１０に示す実施例４のリフレクタ２は、該リフレクタ２を線状光源１の長手方向に垂直な面で切断したときの断面が楕円の一部と双曲線の一部を交互に連設した形状である。従って、第１焦点の位置、第２焦点の位置、反射光の配光特性等の光学系は上記実施例１および実施例３のリフレクタを組み合わせた構成となっている。
【００６２】
本実施例は、実施例１と実施例３の効果、利点を併せ持つと共に、リフレクタ２が折れ目のない滑らかな曲面の連続で構成されているために、プレス金型が廉価で加工も容易であり、製造コストを低減できる特徴を有している。
【００６３】
以上説明したように、本発明の照明装置は照射光の配光制御をリフレクタとレンズアレイとによって行なうようにした。その結果、従来配光制御のために使用していたルーバー等の部材が不要となった。そのため、少ない部品構成で配光制御が可能であることから、廉価で薄型化を図った照明装置を実現することができた。
【図面の簡単な説明】
【００６４】
【図１】本発明の照明装置に係わる実施例１の斜視図である。
【図２】同じく、本発明の照明装置に係わる実施例１を線状光源の長手方向に垂直な面で切断したときの部分断面図である。
【図３】同じく、本発明の照明装置に係わる実施例１を線状光源の長手方向に平行な面で切断したときの部分断面図である。
【図４】同じく、本発明の照明装置に係わる実施例１の線状光源とレンズアレイとの関係を示す説明図である。
【図５】同じく、本発明の照明装置に係わる実施例１をシミュレーションして得られた線状光源の長手方向に垂直な方向の輝度分布である。
【図６】同じく、本発明の照明装置に係わる実施例１をシミュレーションして得られた線状光源の長手方向に平行な面の輝度分布である。
【図７】本発明の照明装置に係わる実施例２の斜視図である。
【図８】同じく、本発明の照明装置に係わる実施例２を線状光源の長手方向に垂直な面で切断したときの部分断面図である。
【図９】本発明の照明装置に係わる実施例３を線状光源の長手方向に垂直な面で切断したときの部分断面図である。
【図１０】本発明の照明装置に係わる実施例４を線状光源の長手方向に垂直な面で切断したときの部分断面図である。
【図１１】従来の照明装置の斜視図である。
【符号の説明】
【００６５】
１    線状光源
２    リフレクタ
３    レンズアレイ
４    内周面
５、５ａ、５ｂ    シリンドリカルレンズ
６    中心
７ａ、７ｂ、７ｃ、７ｄ    第２焦点
８ａ、８ｂ、８ｃ、８ｄ    楕円
９ａ、９ｂ    直線
９ｃ    角
１０ａ、１０ｂ    直線
１０ｃ    角
１１ａ、１１ｂ    直線
１１ｃ    角
１２ａ、１２ｂ    直線
１２ｃ    角
１３、１３ａ、１３ｂ    レンズ面
１４    光入射面
１５    到達光
１６    入射光
１７    出射光
１８    光線
１９    光線
２０    稜線
２１    光入射面
２２    到達光線
２３    光入射面
２４    到達光線
２５    レンズ面到達点
２６ａ、２６ｂ、２６ｃ、２６ｄ    双曲線
２７ａ、２７ｂ、２７ｃ、２７ｄ    第２焦点
【図１】
2007257857.tif 000003
【図２】
2007257857.tif 000004
【図３】
2007257857.tif 000005
【図４】
2007257857.tif 000006
【図５】
2007257857.tif 000007
【図６】
2007257857.tif 000008
【図７】
2007257857.tif 000009
【図８】
2007257857.tif 000010
【図９】
2007257857.tif 000011
【図１０】
2007257857.tif 000012
【図１１】
2007257857.tif 000013